(57)【特許請求の範囲】
【請求項１】
堤防護岸に敷設するマットであって、高分子樹脂製の止水シートと合成繊維製の補強マットと、その間に部分的に配した防水性樹脂シートとを一体化して構成し、該防水性樹脂シートを配した箇所をアンカーピン打設箇所としたことを特徴とするアンカーピン打設可能マット。
【請求項２】
防水性樹脂シートが、高吸水性樹脂を保持した樹脂シートであることを特徴とする請求項１に記載のアンカーピン打設可能マット。
【請求項３】
防水性樹脂シートが、ベントナイトを保持した樹脂シートであることを特徴とする請求項１に記載のアンカーピン打設可能マット。
【発明の詳細な説明】
【技術分野】
【０００１】
本発明は、堤防護岸に敷設して、河川の水や雨水が堤体内に浸透するのを防ぐ遮水工法に使用するアンカーピン打設可能マットに関する。
【背景技術】
【０００２】
従来、堤防護岸の遮水工法においては、止水シートと不織布を組み合わせた遮水マットが使用されてきた。
【０００３】
そして、河川護岸において遮水マットを敷設し、その上にブロックマット等のシート状材料を設置し、それをアンカーピンにより固定する場合がある。この場合、アンカーピンにより止水シートに孔があけられるため、その後にコーキングや止水シートの増貼りができない場合もその部分からの漏水が問題になる。
【０００４】
その対策として、吸水性を持ち、防水性を持つ粉状ベントナイトを不織布や織布で挟み込んだベントナイトシートを使用することが知られているが、重量物であるため作業性が悪いという欠点があったため、出願人は、特許文献１に示すように、ピン孔による漏水防止のため、高吸水性ポリマーを含む不織布等の漏水防止シートを挟み込んだ遮水マットを提案した。
【特許文献１】特開２００７−１６５２９
【発明の開示】
【発明が解決しようとする課題】
【０００５】
しかしながら、アンカーピンによる孔から漏水を防止することが目的であることから、アンカーピン打設箇所のみの漏水を防止すればよく、上記のような遮水マットは、漏水防止シートが全面に配されるので、アンカーピンをどの箇所に打設しても漏水は発生しない利点があるものの、アンカーピンを打設しないほとんどの部分における漏水防止は余分であり、その余分な漏水防止シートについてコスト高になると共に、重量が増して作業性が悪いという欠点があった。
【０００６】
本発明は、上記の実情に鑑みてなされたものであり、その目的は、コストが安く、軽量で施工性に優れ、アンカーピンの打ち込みによる孔からの漏水を防止できるアンカーピン打設可能マットを提供するところにある。
【課題を解決するための手段】
【０００７】
本発明に係るアンカーピン打設可能マットは、堤防護岸に敷設するマットであって、高分子樹脂製の止水シートと合成繊維製の補強マットと、その間に部分的に配した防水性樹脂シートとを一体化して構成し、該防水性樹脂シートを配した箇所をアンカーピン打設箇所としたことを特徴とするものである。なお、防水性樹脂シートが、高吸水性樹脂を保持した樹脂シートであってもよく、また、ベントナイトを保持した樹脂シートであってもよい。
【発明の効果】
【０００８】
本発明のアンカーピン打設可能マットによれば、防水性樹脂シートを部分的に配し、該防水性樹脂シートを配した箇所をアンカーピン打設箇所としたため、アンカーピンを打設しないほとんどの部分において防水性樹脂シートが配されていないので材料コストが安くなり、マット重量も軽くなるので作業性が向上する利点がある。
【発明を実施するための最良の形態】
【０００９】
本発明で使用可能な止水シートの素材の具体例としては、ポリエチレン、ポリプロピレン、ポリエステル、ポリ塩化ビニル、ポリ塩化ビニリデン、ポリアミド、エチレン−酢酸ビニル共重合体、エチレン−（メタ）アクリル酸メチル共重合体などが挙げられる。これらは１種のみを単独で使用しても良いし、２種以上を併用することもできる。
【００１０】
本発明で用いる合成繊維製の補強マットとしては、不織布、織布、編み物、グリッドなどが使用でき、これらを構成する繊維としては、非（もしくは難）生分解性の繊維であれば特に限定はなく、例えばポリエステル繊維、アクリル樹脂繊維、ポリオレフィン繊維、ポリアミド繊維などが挙げられる。
【００１１】
本発明で用いる防水性樹脂シートに使用する高吸水性ポリマーとしては特に限定はなく、水に不溶で、かつ水分や湿気を速やかに吸収し、非（もしくは難）生分解性であり、自重の数十倍から百倍近い水分を（例えば吸水倍率１０〜４００倍）吸収して膨潤する従来公知の素材（デンプン系、セルロース系、その他の多糖類系、及びタンパク質系の天然高分子類、並びにポリビニルアルコール系、アクリル系、その他の付加重合体、ポリエーテル系、縮合系ポリマー及びその他合成高分子系の合成高分子類）が挙げられる。具体的には、デンプン−アクリロニトリルグラフト重合体加水分解物、デンプン−アクリル酸グラフト重合体、デンプン−スチレンスルホン酸グラフト重合体、デンプン−ビニルスルホン酸グラフト重合体、デンプン−アクリルアミドグラフト重合体、セルロース−アクリロニトリルグラフト重合体、セルロース−スチレンスルホン酸グラフト重合体、カルボキシメチルセルロースの架橋体、ヒアルロン酸、アガロース、コラーゲン及びその他のタンパク質、更に、ポリビニルアルコール架橋重合体、ＰＶＡ吸水ゲル凍結・解凍エラストマー、ポリアクリル酸ナトリウム塩、ポリアクリル酸ナトリウム架橋体、アクリル酸ナトリウム−ビニルアルコール共重合体、ポリアクリロニトリル系重合体ケン化物、ヒドロキシエチルメタクリレートポリマー、無水マレイン酸系重合体及び共重体、ビニルピロリドン系重合体及び共重合体、ポリエチレングリコール・ジアクリレート架橋重合体、エステル系ポリマー、アミド系ポリマーなどが挙げられる。高吸水性ポリマーの形状としては、繊維状、粒状、シート状、流動状又は繊維に凝着した固形状のものを使用する。上記高吸水性ポリマーを保持させる不織布に使用する繊維としては、非（もしくは難）生分解性の繊維であれば特に限定はなく、例えばポリエステル繊維、アクリル樹脂繊維、ポリオレフィン繊維、ポリアミド繊維などが挙げられる。前記繊維は１種を単独で用いても良いし、２種以上を併用しても構わない。また、繊維状の高吸水性ポリマーのみでもよい。不織布に高吸水性ポリマーを吹き付けもしくは含浸させ、凝着させる方法としては、液状の高吸水性ポリマーを繊維からなる不織布に霧状に吹き付けたり、塗ったり、浸漬させたりする方法がある。
【００１２】
本発明に係るアンカーピン打設可能マットにおいて、止水シート、補強マット及び防水性樹脂シートの一体化方法としては、それぞれを熱融着、接着剤、固定治具などの種々の接着方法が採用されるが、それらに限られるものではない。また、補強マット上に防水性樹脂シートを接着し、その上から、溶融状態にある合成樹脂を流して（塗布して）フィルム状に形成しても良い。さらに、防水性樹脂シートの一部を構成する不織布と補強マットとの接着は、ニードルパンチや接着剤による接着、熱融着などの方法がある。補強マットは２層、３層と積層接着させても良い。
【００１３】
本発明に係るアンカーピン打設可能マットの厚みとしては、例えば３ｍｍ〜３０ｍｍであることが好ましい。３ｍｍ未満であれば、高吸水性ポリマーを多く含ませることが出来ず、大きな吸水能力を期待することはできなくなる。３０ｍｍを超える場合、施工に支障が生じる可能性があるので好ましくない。
【００１４】
アンカーピン打設可能マットにおける防水性樹脂シート中の高吸水性ポリマーの含有率としては１０重量％〜９０重量％であることが好ましい。１０重量％未満の場合、大きな吸水能力を期待することはできなくなる。また、９０重量％を超える場合、防水性樹脂シートを構成する他の繊維等の含有率が低くなり、機械的な強度を保持することが難しくなる可能性がある。防水性樹脂シート中の高吸水性ポリマー含有率のさらに好ましい範囲は３０〜７０重量％である。
【００１５】
以下に本発明の一実施例を図面に基づいて説明するが、本発明はこれによって限定されるものではない。
【実施例１】
【００１６】
図１〜図３は実施例１を示し、図１はアンカーピン打設可能マットの構成を示す概略斜視図であり、図２はアンカーピン打設可能マットの部分断面図であり、図３は図２におけるＩＩＩ−ＩＩＩ線拡大断面図である。
【００１７】
各図において、Ａ１はアンカーピン打設可能マット、１０は止水シート、１１は補強マット、１２は防水性樹脂シートを示す。
【００１８】
本実施例におけるアンカーピン打設可能マットＡ１は、防水性樹脂シート１２を島状に散在させて配したものである。実際には、図に示すように端部に等間隔に矩形の防水性樹脂シート１２を配し、中央部には等間隔に矩形の防水性樹脂シート１２を配したものであるが、必ずしもこのように配置する必要はないが、製造コスト及び作業面から考えると望ましい配置である。
【００１９】
止水シート１０は、裏面に滑落を防止するための凹凸を形成した高分子樹脂製のシートであり、補強マット１１は合成繊維を交絡させて形成したマットであり、防水性樹脂シート１２は、不織布に高吸水性樹脂ポリマーを付着させて形成したものである。該止水シート１０と防水性樹脂シート１２とは接着剤ａ１により接着され、補強マット１１と防水性樹脂シート１２とは接着剤ｂ１により接着されている。一方、防水性樹脂シート１２が配されていない部分においては止水シート１０と補強マット１１とが接着剤ａ１により接着されている。
【００２０】
このように構成することにより、全面に防水性樹脂製シートを配した場合に比べ、防水性樹脂製シートの使用量は約１．５％に削減でき、製造コスト低廉化及びマットの軽量化が図れる。防水性樹脂シートを配している箇所は、配していない箇所に比べて厚みや硬さに変化があるため、感触で配している箇所が判断できるが、防水性樹脂シートを配している箇所に「アンカーピン打設箇所」というような表示をしたり、着色することにより、アンカーピンを打設してもよい箇所を明示しておくと一層便利である。
【実施例２】
【００２１】
図４は実施例２に係るアンカーピン打設可能マットの構成を示す概略斜視図である。
【００２２】
図において、Ａ２はアンカーピン打設可能マット、２０は止水シート、２１は補強マット、２２は防水性樹脂シートを示す。
【００２３】
本実施例におけるアンカーピン打設可能マットＡ２は、防水性樹脂シート２２を帯状に配したものである。実際には、図に示すように端部に１条の防水性樹脂シート２２を配し、中央部に１条の防水性樹脂シート２２を配したものであるが、必ずしもこのように配置する必要はないが、製造コスト及び作業面から考えると望ましい配置である。
【００２４】
止水シート２０は、裏面に滑落を防止するための凹凸を形成した高分子樹脂製のシートであり、補強マット２１は合成繊維を交絡させて形成したマットであり、防水性樹脂シート２２は、不織布に高吸水性樹脂ポリマーを付着させて形成したものである。実施例１の図３により説明したのと同様に、止水シート２０と防水性樹脂シート２２とは、接着剤ａ１により接着されており、補強マット２１と防水性樹脂シート２２とは接着剤ｂ１により接着されており、防水性樹脂シート２２が配されていない部分においては止水シート２０と補強マット２１とが接着剤ａ１により接着される。
【００２５】
このように構成することにより、全面に防水性樹脂製シートを配した場合に比べ、防水性樹脂製シートの使用量は約１５％に削減でき製造コスト低廉化及びマットの軽量化が図れる。防水性樹脂シートを配している箇所は、配していない箇所に比べて厚みや硬さに変化があるため、感触で配している箇所が判断できるが、防水性樹脂シートを配している箇所に「アンカーピン打設箇所」というような表示をしたり、着色することにより、アンカーピンを打設してもよい箇所を明示しておくと一層便利である。
【図面の簡単な説明】
【００２６】
【図１】本発明の実施例１に係るアンカーピン打設可能マットの構成を示す概略斜視図である。
【図２】本発明の実施例１に係るアンカーピン打設可能マットの部分断面図である。
【図３】図２におけるＩＩＩ−ＩＩＩ線拡大断面図である。
【図４】本発明の実施例２に係るアンカーピン打設可能マットの構成を示す概略斜視図である。
【符号の説明】
【００２７】
Ａ１・・・アンカーピン打設可能マット
１０・・・止水シート
１１・・・補強マット
１２・・・防水性樹脂シート
ａ１・・・接着剤層
ｂ１・・・接着剤層
Ａ２・・・アンカーピン打設可能マット
２０・・・止水シート
２１・・・補強マット
２２・・・防水性樹脂シート
【図１】
0004768677.tif 000002
【図２】
0004768677.tif 000003
【図３】
0004768677.tif 000004
【図４】
0004768677.tif 000005